(57)【要約】【課題】            従来のハサミやカッターは常に怪我の虞が伴ない安全性が完全ではなく、常に指の開閉動作を必要として、それなりの力も要求されるものとなっており、左利きの人々にとっては使用勝手が悪いものとなっていたという点である。【解決手段】        グリップと、そのグリップの前方上端近傍に枢支されているトリガーレバーと、そのトリガーレバーの枢動によって起動されるリンク機構と、そのリンク機構によって伝動されるギア機構と、そのギア機構の回動によって回転する第一回転刃と、その第一回転刃の上方に配置され、第一回転刃の回転に伴って対象物を切断するフリー回転の第二回転刃とを備えていることとする。【選択図】          図４
2019107185.tif 000002
【特許請求の範囲】
【請求項１】
グリップと、そのグリップの前方上端近傍に枢支されているトリガーレバーと、そのトリガーレバーの枢動によって起動されるリンク機構と、そのリンク機構によって伝動されるギア機構と、そのギア機構の回動によって回転する第一回転刃と、その第一回転刃の上方に配置され、第一回転刃の回転に伴って対象物を切断するフリー回転の第二回転刃とを備えていることを特徴とするカッター。
【請求項２】
前記したギア機構はリンク機構の作業バーの先端が噛合するラチェットと、そのラチェットと同軸回動する第一ギアと、その第一ギアと噛合する第二ギアとより構成され、その第二ギアと第一回転刃は同軸とされていることを特徴とする請求項１に記載のカッター。
【請求項３】
前記したリンク機構の作業バーは常時スプリングでトリガーレバーの背面に、その後端を当接するように附勢されていることを特徴とする請求項２に記載のカッター。
【請求項４】
前記した第二回転刃は、前記したグリップの上方後方に軸支されたシーソー部材の前方寄りに、第一回転刃と対峙させ、刃の一部が露呈する状態で備えられていることを特徴とする請求項１から３のうち１項に記載のカッター。
【請求項５】
前記したグリップの内部後方には前記したラチェットと噛合するストッパ部材が備えられていることを特徴とする請求項２に記載のカッター。
【請求項６】
前記したシーソー部材はスプリングによって、第二回転刃が第一回転刃と対応するよう附勢されていることを特徴とする請求項４に記載のカッター。
【請求項７】
前記したシーソー部材は、その後端をスプリングの附勢力に抗して押すことで、第二回転刃が第一回転刃から離れ、解放状態とされることを特徴とする請求項４から６のうち１項に記載のカッター。
【発明の詳細な説明】
【技術分野】
【０００１】
本発明は紙、布、皮革、プラスチックのフィルムやシートあるいは紐等を切断するために使用されるカッター、それも手動式のカッターに関する。
【背景技術】
【０００２】
従来、上記した作業を行なうための用具としてはハサミが一般的に使用され、クラフト等の特殊な作業では一枚刃のナイフ式カッターが使用されることもある。ここで、一般的なハサミは二枚の刃体を軸でつなぎ二つの刃体を擦り合わせることで、対象物を剪段する。
【０００３】
しかしながら、このハサミは仕様によっては先端が尖り、突き傷を負う等の虞もあり、操作部に掛けた指の開閉動作を必要とする。これは握りバサミの場合でも指での押圧作業を必要とする。そして、通常は右利き用に構成されているため、左利きの人にとっては不自然な使用感覚となってしまう。
【０００４】
先行技術文献として示した技術は段ボールカッターに関するもので、柄にコ字状の主板を固定し、その主板に回転刃とガイドローラーを設けてあるので、本願発明とは大きく構成を異にしている。特にトリガーレバーの握り操作で間欠的に作業を進行させる構成はない。
【先行技術文献】
【特許文献】
【０００５】
【特許文献１】特開２０１２−２３２０８８号公報
【発明の概要】
【発明が解決しようとする課題】
【０００６】
本発明が解決しようとする問題点は、従来のハサミやカッターは常に怪我の虞が伴ない安全性が完全ではなく、常に指の開閉動作を必要として、それなりの力も要求されるものとなっており、左利きの人々にとっては使用勝手が悪いものとなっていたという点である。
【課題を解決するための手段】
【０００７】
上記した問題点を解決するために、本発明の係るカッターは、グリップと、そのグリップの前方上端近傍に枢支されているトリガーレバーと、そのトリガーレバーの枢動によって起動されるリンク機構と、そのリンク機構によって伝動されるギア機構と、そのギア機構の回動によって回転する第一回転刃と、その第一回転刃の上方に配置され、第一回転刃の回転に伴って対象物を切断するフリー回転の第二回転刃とを備えていることを特徴とする。
【０００８】
また、本発明に係るカッターは、前記したギア機構はリンク機構の作業バーの先端が噛合するラチェットと、そのラチェットと同軸回動する第一ギアと、その第一ギアと噛合する第二ギアとより構成され、その第二ギアと第一回転刃は同軸とされていることを特徴とし、前記したリンク機構の作業バーは常時スプリングでトリガーレバーの背面に、その後端を当接するように附勢されていることを特徴としている。
【０００９】
さらに、本発明に係るカッターは、前記した第二回転刃は、前記したグリップの上方後方に軸支されたシーソー部材の前方寄りに、第一回転刃と対峙させ、刃の一部が露呈する状態で備えられていることを特徴とし、前記したグリップの内部後方には前記したラチェットと噛合するストッパ部材が備えられていることを特徴としている。
【００１０】
そして、本発明に係るカッターは、前記したシーソー部材はスプリングによって、第二回転刃が第一回転刃と対応するよう附勢されていることを特徴とし、前記したシーソー部材は、その後端をスプリングの附勢力に抗して押すことで、第二回転刃が第一回転刃から離れ、解放状態とされることを特徴としている。
【発明の効果】
【００１１】
本発明に係るカッターは上記のように構成されており、トリガーレバーを握ることで、リンク機構、ギア機構が稼動して第一回転刃を回転させ、その第一回転刃と対応する第二回転刃とによって対象物を切断する。この切断作業はトリガーレバーの握持の繰り返しによる間欠的なものとなり、鋭利な刃物先端はなく、その回転刃もグリップやシーソー部材によってカバーされているので安全性が確保され、作業はトリガーレバーの握持のみで指の開閉動作もなく、腕の左右利きの影響も全くないものとなっている。
【図面の簡単な説明】
【００１２】
【図１】本発明を実施したカッターを示す全体斜視図である。
【図２】別方向から見た斜視図である。
【図３】駆動機構を示す図である。
【図４】駆動機構の詳細を示す図である。
【図５】同じく背面図である。
【図６】伝動機構を示す図である。
【発明を実施するための形態】
【００１３】
図面として示し、実施例で説明したように構成したことで実現した。
【実施例１】
【００１４】
次に、本発明の好ましい実施の一例を図面を参照して説明する。図中１は実施したカッターのグリップを示しており、このグリップはプラスチックで成形され、一対の対称的な部材を合わせて固着してあり、その前方と上方は開放された中空状のものとされている。また、このグリップ１は掌で握持した際にフィットするように、背部に親指と人指し指の間が収まる凹状弧面と、掌面を適合する凸状弧面が連続して形成されている。
【００１５】
このグリップ１の前方開放部には、その上端をピン２で枢支されたトリガーレバー３が備えられているもので、グリップ１の前方開放部の下端前方には、このトリガーレバー３の脱落を防止する掛止部（ストッパ）１ａが形成されている。このトリガーレバー３の前面は握持した際のフィット感を保ち、痛みが生じることがないように、前面のコーナーはアール状とし、かつ、そのアール状としたコーナー間に挟まれる前面は下方に向かって徐々に細幅となる構成としてある。また、このトリガーレバー３のグリップ１内に位置される背面は後述するリンク機構の作業バーの後端を押し上げるための凹弧面３ａが形成されている。尚１ｃはトリガーレバー３の可動のストッパである。
【００１６】
前記したグリップ１の中空内とされた、少なくとも一方側の内壁面には支持ピン４が設けられ、その支持ピン４にリンクアーム５の一端（後端）が回動自在に取り付けられている。このリンクアーム５の他端（前端）はフリーに動作可能となっており、この他端（前端）には枢支ピン６によって作業バー７の後端が連結されているもので、その作業バー７の先端８はフック状とされ、後述するラチェットと噛合される構成となっている。
【００１７】
また、前記した作業バー７の先端８近傍には止着ピン７ａが設けられており、この止着ピン７ａと、グリップ１の内面に立設された止着ピン１ｂとの間にコイルスプリング９が架設され、作業バー７の後端を常時トリガーレバー３の背面の凹弧面３ａに当接させるように作業バー７を附勢している。
【００１８】
さらに、グリップ１の中空部の上方部分には回転軸１０が設けられており、この回転軸１０には、前記した作業バー７のフック状と先端８が噛合するラチェット１１が回転自在に嵌め付けられているもので、この回転軸１０には、ラチェット１１と重合して（同軸）で第一ギア１２が嵌め付けられている。
【００１９】
また、グリップ１の中空部内で、前記した回転軸１０よりも斜め前方寄り上部には別途の回転軸１３が設けられており、この回転軸１３には第一ギア１２と噛合する第二ギア１４が嵌め付けられており、この第二ギア１４は第一ギア１２の略半分程の小径サイズのものとなっている。
【００２０】
前記した回転軸１３には第一回転刃１５が第二ギア１４と重合同軸として嵌め付けられているもので、この第一回転刃１５は、その一部がグリップ１の上方開放部から外部へ露呈した構成とされている。
【００２１】
一方、図中１６はシーソー部材を示しており、このシーソー部材１６はグリップ１の上方後部にピン１６ａによりその前方下面と、グリップ１との上面に適宜間隔を隔てて揺動可能に取り付けられている。このシーソー部材１６の前方下側にはピン１７ａによって第二回転刃１７がフリー回転で取り付けられている。この第二回転刃１７は第一回転刃１５の略３分の１程の小径サイズのものとなっており、この第二回転刃１７はグリップ１の上方方向に向けて、下方部分が露呈し、その露呈した部分が第一回転刃１５の上方部分と対応する構成となっている。
【００２２】
このシーソー部材１６はグリップの上方後部に設けられたピン１８に取り付けられた弦巻ばね１９の一端によって内部後方から第二回転刃１７を第一回転刃１５方向へ附勢しており、弦巻ばね１９の他端はグリップ１の中空内壁のピン１８ａで支承されているもので、負荷をシーソー部材１６、強いては第二回転刃１７に附勢力を与えている。さらにばね２０は、その一端を後述するストッパ爪２１の上部に掛けられ、ストッパ爪２１の先端をラチェット１１方向へ附勢している。
【００２３】
また、前記したピン１８には、少なくとも内縁を凹弧状とした前記のストッパ爪２１がその略中央位置で装着されており、このストッパ爪２１はその先端をラチェット１１と噛合させて位置決めを図るものであり、ストッパ爪２１の後端はシーソー部材１６の上面内壁で支持されている。
【００２４】
本実施例に係るカッターは上記のように構成されている。ここで、その使用方法と動作を説明する。まず、グリップ１を握ってから対象となる紙等をグリップ１の上方でシーソー部材１６との間に形成されている間隔に挿し込む。これは紙等の端縁にカッターの前記した間隔を嵌め合わせることでも同様である。そして、その対象物となる紙等の切断箇所の端縁を第一回転刃１５に合わせる。
【００２５】
この紙等の対象物を宛がった状態で、トリガーレバー３を引き込むと、そのトリガーレバー３の背面の凹弧面３ａが、リンク機構の作業バー７の後端を摺接して、コイルスプリング９の引張附勢力に抗して、この作業バー７を上方へ押し上げる。押し上げられた作業バー７は、その先端のフック状とされて、ラチェット１１と噛合している先端８がこのラチェット１１を回動させる。この際、ラチェット１１の歯は回動によってストッパ爪２１の先端を摺り押し上げて、このストッパ爪２１の逆回転ロックを解除する。
【００２６】
このラチェット１１の回動によって、ラチェット１１と同軸に重合して嵌め付けられている第一ギア１２も回動する。この第一ギア１２の回動は第二ギア１４に伝動されて、この第二ギア１４を回動させ、この第二ギア１４と同軸に重合して嵌め付けられている第一回転刃１５を矢印方向、即ち、器具の後方へ向けて回転させる。この回転距離は第一ギア１２と第二ギア１４とのギア比によるが、第二ギア１４は第一ギア１２よりも小径となっており、その分、第一回転刃１５の回転する距離、つまり、第一回転刃１５の任意の一点の移行距離は大きなものが得られる。
【００２７】
この第一回転刃１５の回転に伴って、その第一回転刃１５と対応している第二回転刃１７も同期に回転し、この第二回転刃１７と第一回転刃１５との合せ回転によって、セットされた紙等の対象物は切断される。これは、トリガーレバー３の引き込み、解放の動作を繰り返すことで、クリック感も得られ第一回転刃１５と第二回転刃１７は間欠的に連続して対象物を切断（カッティング）していくことができる。切断された対象物はシーソー部材１６を境として左右に分かれていくこととなる。この一回の切断作業中はラチェット１１の動きを制御するためストッパ爪２１が作用することとなる。
【００２８】
この第二回転刃１７を第一回転刃１５方向へ附勢するため、シーソー部材１６は弦巻ばね１９によって附勢されているが、対象物の厚みが大きかったり、切断によりパワーを必要とするような場合、この弦巻ばね１９の附勢力を大きなものとして対応することができる。
【００２９】
また、仮に、対象物が第一回転刃１５と第二回転刃１７に噛み込み、稼動が困難となったような場合、シーソー部材１６の後端を弦巻ばね１９の附勢力に抗して押し下げてやることで、シーソー部材１６の前部は上方へ持ち上がり、第二回転刃１７を第一回転刃１５から離してやることができ、その噛み込み状態等の解消も図ることができる。
【００３０】
本実施例に係るカッターは上記のように構成されており、トリガーレバー３の操作のみで対象物を切断することができる従来にはない構成のものとなっており、安全性も十分に確保され、左右利きの影響も全くないものとなっている。
【産業上の利用可能性】
【００３１】
本実施例に係るカッターは上記のように構成されているが、例えば第二回転刃１７のサイズは、第一回転刃１５と同径程度とすることもでき、シーソー部材１６を附勢するための弦巻ばね１９は屈曲した板ばね等に代替することもできる。また、カッター全体としてのデザインも好みや必要に応じて自在に変更することも可能である。
【符号の説明】
【００３２】
１    グリップ
１ａ、１ｃ  ストッパ
１ｂ  止着ピン
２    ピン
３    トリガーレバー
４    支持ピン
５    リンクアーム
６    枢支ピン
７    作業バー
７ａ  止着ピン
８    先端
９    コイルスプリング
１０、１３  回転軸
１１  ラチェット
１２  第一ギア
１４  第二ギア
１５  第一回転刃
１６  シーソー部材
１６ａ、１７ａ  ピン
１７  第二回転刃
１８  ピン
１９  弦巻ばね
２０  ばね
２１  ストッパ爪
【図１】
2019107185.tif 000003
【図２】
2019107185.tif 000004
【図３】
2019107185.tif 000005
【図４】
2019107185.tif 000006
【図５】
2019107185.tif 000007
【図６】
2019107185.tif 000008